(57)【要約】【課題】ストレスの発散として心地よい睡眠に誘導する繊維加工剤を提供することを目的とする。【解決手段】ジャスミン油をマイクロカプセル化することにより適度な徐放性が可能となり、ジャスミンに対する好みに関係なく安眠を誘導する。またバインダーを併用することにより、耐洗濯性のある繊維加工が可能になる。【選択図】  なし【特許請求の範囲】
【請求項１】
ジャスミン抽出物を加工されていることを特徴とする繊維製品
【請求項２】
ジャスミン抽出物を有機高分子でマイクロカプセル化し加工されていることを特徴とする繊維製品
【請求項３】
ジャスミン抽出物をそのまま、又はマイクロカプセル化し、バインダーを併用加工されていることを特徴とする繊維製品
【発明の詳細な説明】
【０００１】
【発明の属する技術分野】
本発明は人をリラックスさせる作用を有するジャスミン抽出物加工繊維製品に関するものである。
【０００２】
【従来の技術】
従来、人は精神的，身体的に疲労した時、入浴，運動又は睡眠によりその疲労を癒している。また近年では芳香によるリラックス効果を期待し、さまざまな製品が上市，販売されている。また繊維製品についても上記の芳香剤の加工がされ、上市，販売されている。
【０００３】
【発明が解決しようとする課題】
しかしながら芳香剤の加工では人により好みがあり、その香りを嫌う人にとってはストレスとして感じてしまう。
【０００４】
【課題を解決するための手段】
本発明は上記課題を解決するため、人が香りを認識しない濃度でのリラックス効果を得る為、鋭意検討した結果、ジャスミンの香り成分が臭いを感じない濃度で人をリラックスさせることを見い出した。
【０００５】
ジャスミン（Ｊａｓｍｉｎｕｍ  ｓａｍｂａｃ）はモクセイ科で、その蕾は緑茶とまぜ、緑茶にジャスミンの香りを付け、ジャスミン茶として用いられる。ジャスミン茶は漢方でも用いられ、胃腸の働きを盛んにする効果がある。また、気を整え、鬱を開くという精神的作用もあり、ジャスミン茶の飲用により落ち着く人も多いと言われる。杉本らは、ジャスミン茶の香気成分が人に与える影響として鎮静効果を確認している（ＦＯＯＤ  Ｓｔｙｌｅ  ２１  ｖｏｌ．６，ｎｏ．３）
【０００６】
【発明の実施の形態】
本発明に用いるジャスミン抽出物はジャスミンの花または蕾を水蒸気蒸留，または有機溶媒を用いて抽出したものである。
【０００７】
本発明の繊維製品はジャスミン抽出物をそのまま、又はマイクロカプセル化された状態で付着させたものである。
【０００８】
また洗濯耐久性を向上させる為には、バインダーを併用することにより解決する事ができる。
【０００９】
ジャスミン抽出物を芯物質とし、その蒸散速度を調節可能な被膜材によりマイクロカプセル化する方法としては、マイクロカプセル生成技術において広く公知の界面重合法、ｉｎ−ｓｉｔｕ法、相分離法、液中硬化被膜法、液中乾燥法及び噴霧・造粒法等が利用できるが、中でも界面重合法は目的とするジャスミン抽出物のマイクロカプセル化を効果的に可能にするので有用である。
【００１０】
本発明において用いられる被膜材としては、ジャスミン抽出物に対して徐放性を有する物質であればいずれも使用可能であるが、特にメラミン樹脂、ポリウレタン樹脂、ポリウレア樹脂、ポリアミド樹脂、ポリエステル樹脂及びこれらの複合材料が挙げられる。
【００１１】
本発明におけるジャスミン抽出物を含む芯物質と被膜材の好ましい割合については特に限定されないが、耐洗濯性，耐光性及び耐熱性を持続させるためには被膜材は多いことが好ましいが、蒸散性を考慮すると被膜材は少ないことが好ましい。芯物質と被膜材の好ましい重量比は１：２０〜１：０．０１であるが、蒸散性，耐洗濯性，耐光性及び耐熱性を考慮した場合には１：２〜１：０．１であることが好ましい。
【００１２】
また、ジャスミン抽出物を内包したマイクロカプセル液を長期間繊維に付着させる方法、耐洗濯性を向上させる方法としては、自己架橋型アクリル酸エステルあるいは分子内にカルボキシル基を有する共重合樹脂、アクリル・シリコン共重合樹脂、ウレタン樹脂、メタアクリル酸樹脂の１種または２種以上からなる樹脂を併用して繊維材料に処理する方法が有効である。
【００１３】
【実施例】
以下実施例により詳細説明する。しかし、本発明はこれらの実施例に限定されるものではない。
【００１７】
（実施例１）
ジャスミン抽出物１ｇに乳化剤（ノニポール１００：三洋化成工業（株））１５ｇを添加，攪拌した後、プロピレングリコール７５ｇに溶解して自己乳化物を得た。
【００１４】
（実施例２）
スチレン−無水マレイン酸樹脂（スミレッツレジンＤＳ−４０Ｋ：住友化学工業（株））１０ｇを水５８ｇに溶解した後、酢酸２ｇを加えてｐＨを４．５に調節した。これにジャスミン抽出物１ｇを中鎖脂肪酸トリグリセライド（ファインオイルＬＭ−２：ミヨシ油脂（株））９ｇに溶解した後添加し、平均粒径が５μｍになるまでホモミキサーで分散を行った。得られた分散液をゆっくり攪拌しながら、メラミン樹脂（スミテックスレジンＭ−３住友化学工業（株））５％水溶液を少量ずつ２０ｇ加えた。これを６５℃で２時間攪拌してメラミン樹脂被膜のマイクロカプセル分散液を得た。
【００１５】
（実施例３）
ジャスミン抽出物１ｇを中鎖脂肪酸トリグリセライド（ファインオイルＬＭ−２：ミヨシ油脂（株））９ｇに溶解した後ポリメチレンポリフェニルポリイソシアナート（ミリオネートＭＲ−２００：日本ポリウレタン工業（株））を４ｇ加えた後、２％ポリビニルアルコール（ＭＡ−１７：信越化学工業（株））水溶液８０ｇに添加し、平均粒径が５μｍになるまでホモミキサーで分散を行った。得られた分散液をゆっくり攪拌しながら、ヘキサメチレンジアミン１％水溶液を少量ずつ６ｇ加えた。これを６５℃で６時間攪拌してポリウレア樹脂被膜のマイクロカプセル分散液を得た。
【００１６】
（実施例４）
ジャスミン抽出物１ｇを中鎖脂肪酸トリグリセライド（ファインオイルＬＭ−２：ミヨシ油脂（株））９ｇに溶解した後ポリメチレンポリフェニルポリイソシアナート（ミリオネートＭＲ−２００：日本ポリウレタン工業（株））を４ｇ加えた後、２％ポリビニルアルコール（ＭＡ−１７：信越化学工業（株））水溶液８０ｇに添加し、平均粒径が５μｍになるまでホモミキサーで分散を行った。得られた分散液をゆっくり攪拌しながら、エチレングリコール１％水溶液を少量ずつ１０ｇ加えた。これを６５℃で１０時間攪拌してポリウレア樹脂被膜のマイクロカプセル分散液を得た。
【００２０】
（安眠効果の評価）
実施例１及び実施例２で得られたマイクロカプセル分散液又は自己乳化物を水で２％に希釈し、これにアクリル・シリコン樹脂（ファイコート３０Ｇ：大和化学工業（株））２％添加した加工液を調整した。これらの加工液を綿１００％布（目付け１００ｇ／ｍ２）に対してしぼり率８０％で処理した後、１２０℃で５分間乾燥した。この試料を枕カバーとして被験者各１０名にて安眠効果を確認した。３日間試料を使用した後、３日間試料を外して睡眠を行う。このパターンを１ヶ月繰り返した後、被験者に睡眠についてアンケートした。比較例として未加工布を用いた。その結果を表１に示す。
【表１】
2004324029.tif 000002
【００１８】
（試験試料の作成及び耐洗濯性試験）
実施例１から２で得られた自己乳化物及びマイクロカプセル分散液をそれぞれ水で２％に希釈し、これにアクリル・シリコン樹脂（ファイコート３０Ｇ：大和化学工業（株））０％及び２％添加した加工液を調整した。これらの加工液を綿１００％布（目付け１００ｇ／ｍ２）に対してしぼり率８０％で処理した後、１２０℃で５分間乾燥した。洗濯方法は、ＪＩＳ  Ｌ−０２１７  １０３法に準じた方法で１０回行った。
【００１９】
（ジャスミン油の付着量分析）
試験試料３０×３０ｃｍを円筒濾紙Ｎｏ．８４（東洋濾紙（株））に入れ、メタノールを溶剤としてソックスレー抽出器で２時間抽出した。抽出後、メタノールにて１００ｍｌとし、高速液体クロマトグラフにより分析した。得られたジャスミン油のピーク面積から繊維に付着した量を計算した。その結果を表２に示す。
【表２】
2004324029.tif 000003
【００２１】
【発明の効果】
本発明は、安眠効果のあるジャスミン油をマイクロカプセル化することにより耐洗濯性のある加工ができ、カプセル化することにより安眠効果の得られる適度な徐放性を得ることが出来る。